(57)【要約】【課題】ワイヤを半田固定するＡＣＴ−ＦＰＣ及び一体固定した支持補強板をサスペンションホルダーとともにヨークベースにビス締め固定する際、ビス頭部にＡＣＴ−ＦＰＣ／支持補強板が直接当接し、変形する。【解決手段】支持補強板１０／ＡＣＴ−ＦＰＣ８をサスペンションホルダー９とともにビス３６締めによってヨークベース１２の曲げ部１２ａに固定する。サスペンションホルダー９の略中央部には補強支持板１０とＡＣＴ−ＦＰＣ８の全厚みより僅かに高い環状突起部９ｂが設けられている。また補強支持板１０／ＡＣＴ−ＦＰＣ８にはその突起部外径より僅かに大きな孔が設けられている。ビス３６を締め付けることによって樹脂材料からなるサスペンションホルダー９の環状突起部９ｂが変形して支持補強板１０／ＡＣＴ−ＦＰＣ８を押圧固定する。【選択図】図３
2005302158.tif 000002
【特許請求の範囲】
【請求項１】
対物レンズと、前記対物レンズをディスクに対し垂直方向と半径方向の２軸に駆動するために巻装されたコイルと、前記対物レンズおよび前記コイルを一体的に保持するレンズホルダーと、前記対物レンズをディスクに対し垂直方向と半径方向の２軸に移動可能なようにレンズホルダーを支持するように一端を前記レンズホルダーに固定された４本のサスペンションワイヤと、前記４本のサスペンションワイヤの他端が固定されるアクチュエータＦＰＣ（以下ＡＣＴ−ＦＰＣと略す）と、前記４本のサスペンションワイヤの他端が固定される近傍部のＡＣＴ−ＦＰＣに貼り付けられた補強支持板と、前記補強支持板を固定する樹脂材料からなるサスペンションホルダーと、前記コイルに対向して前記レンズホルダーを２軸に駆動するためのマグネットと、前記マグネットおよび前記サスペンションホルダーを固定保持し、前記レンズホルダーおよびサスペンションワイヤを保護するように構成されたアクチュエータベースと、前記サスペンションホルダーを前記ヨークベースに固定するビスと、半導体レーザーユニットと、前記半導体レーザーユニットを光出射側とは背面方向にて実装可能なフレキシブル基板と、前記半導体レーザーユニットが光出射側方向に光軸を中心軸として回転可能なように取り付けられ、かつ前記アクチュエータベースを調整固定して保持する光学台と、前記光学台に前記半導体レーザーユニットから出射された光を前記対物レンズに入射するよう構成された光学系を有し、前記サスペンションホルダーの略中央部の、前記ビスによる固定用孔の周囲に、前記ビスの頭部外形と略同一の外形であって、前記補強支持板と前記ＡＣＴ−ＦＰＣの全厚みより僅かに高い環状の突起部を設け、一方前記ＡＣＴ−ＦＰＣに貼り付けられた支持補強板の略中央部に、前記サスペンションホルダーにほぼ位置決めされるように、環状突起部外形よりわずかに大きな貫通孔を設けたことを特徴とする光ピックアップ。
【請求項２】
前記ＡＣＴ−ＦＰＣに貼り付けられた支持補強板の略中央部に設けられた貫通孔径が、前記ビスの頭部の外径より大きいことを特徴とする請求項１に記載の光ピックアップ。
【発明の詳細な説明】
【技術分野】
【０００１】
本発明は、ディスクに光スポットを投影して記録再生を行う光ピックアップに関するものである。
【背景技術】
【０００２】
従来技術として例えばＡＣＴ基板をサスペンションホルダーに固定した構成が特許文献１に開示されている。
【０００３】
固着の方法は少し異なるが、以下に従来の光ピックアップについて図１、図２、図５を用いて説明する。
【０００４】
図１は従来の光ピックアップのアクチュエータ部の構成を示す分解斜視図であり、図２は従来の光ピックアップの構成を示す分解斜視図である。図１及び図２において、１は対物レンズであり、２は対物レンズ１を保持するレンズホルダーであり、このレンズホルダー２にはディスクに対し垂直方向１６の軸にフォーカスコイル３とディスクに対して半径方向１７の軸に対し同方向に２個のトラッキングコイル４からなるコイル５が固定されている。このレンズホルダー２にはバネ基板６が固着され、このバネ基板６ａ、６ｂにはレンズホルダー２を片持ち保持するための４本のサスペンションワイヤ（金属線バネ）７ａ〜７ｄが半田により固定されている。ＡＣＴ−ＦＰＣ８の、このサスペンションワイヤ７ａ〜７ｄを支持しサスペンションホルダー９に固着される部分には補強支持板１０がＡＣＴ−ＦＰＣ８と同形状に貼り付け補強されており、この補強支持板１０がサスペンションホルダー９の略平面部９ａに当接して、ビス３６によってサスペンションホルダー９とともにアクチュエータベース１２の曲げ部１２ａに固定されている。図５に矢印Ａ方向から見た断面図を示す。
【０００５】
また４本のサスペンションワイヤ７ａ〜７ｄの他端は、サスペンションホルダー９に一体的に固定されたＡＣＴ−ＦＰＣ８にサスペンションホルダー９を通過して半田固定されており固定端となっている。前記レンズホルダー２はディスクに対し垂直方向１６と半径方向１７の２軸方向に移動可能になっている。
【０００６】
また、ディスクに対し接線方向１５と同じ方向に着磁されたマグネット１１ａ、１１ｂはコイル５と極めて近接してアクチュエータベース１２に取り付けられている。フォーカスコイル３、トラッキングコイル４のそれぞれのコイルに電流が流れると、レンズホルダー２はディスクに対し垂直方向１６並びに半径方向１７に移動する。また、フォーカスコイル３及びトラッキングコイル４の各始端、終端がバネ基板６ａ、６ｂに半田付けされサスペンションワイヤ７ａ〜７ｄを介してＡＣＴ−ＦＰＣ８と半田付けされており、ＡＣＴ−ＦＰＣ８の端子が前記２種類のコイル５と導通されている。またレンズホルダー２には、対物レンズ１が万一ディスクと衝突したとき対物レンズ１とディスクを保護するためのレンズプロテクター１３とホロユニット１４とが固着されている。サスペンションホルダー９はアクチュエータベース１２固定されており、アクチュエータベース１２はディスクに対し略平行に構成され、対物レンズ駆動装置１８を形成している。この対物レンズ駆動装置１８は光学台１９に対して最良位置に調整固定されている。光学台１９にはプリズム２０、コリメータレンズ２１、と立ち上げミラー２３がディスクに対し接線方向１５に配置され、コリメータレンズ２１は前記接線方向１５に移動調整可能なように取り付けられている。
【０００７】
また、フレキシブル基板ユニット２４には、半導体レーザーユニット（ＤＶＤ）２５がレーザーの出射方向と逆方向に実装されている。半導体レーザーユニット（ＤＶＤ）２５の背面側にはシールドケース２７が固定されている。また、フレキシブル基板ユニット２４には、ほかに半導体レーザーユニット（ＣＤ）２８がレーザーの出射方向に実装されている。
【０００８】
前記フレキシブル基板ユニット２４は光学台１９に半導体レーザーユニット（ＤＶＤ）２５が光軸を中心に回転可能にディスクに対し垂直な面内にディスクの接線方向１５から傾けて取り付けられ、また、半導体レーザーユニット（ＣＤ）２８も同様に光軸を中心に回転可能にディスクに対し略垂直な面内にディスクに対し接線方向１５に取り付けられている。前記半導体レーザーユニット（ＤＶＤ）２５と半導体レーザーユニット（ＣＤ）２８は光学台１９の側面に固定され、光学台１９の厚みの範囲内に構成された長いユニット押さえバネ３１によりそれぞれレーザーの出射方向に押圧保持されている。ユニット押さえバネ３１は光学台１９に取り付け部分３１ｂにおいてビス３３により片持ち固定されている。また、フレキシブル基板ユニット２４の浮きを防止するために、ディスクに対し平行な面方向から光学台１９に押しつけるように押さえバネ３２が取付部分３２ｂにおいて光学台１９にビス３４止めされ、取り付けられている。
【０００９】
また、半導体レーザーユニット（ＤＶＤ）２５並びに半導体レーザーユニット（ＣＤ）２８から出射された光はプリズム２０を反射並びに透過してコリメートレンズ２１にて平行光となり、立ち上げミラー２３にてディスクに対し垂直方向１６に折り曲げられ、ホロユニット２２を透過後、対物レンズ１に入射される。
【特許文献１】特開２０００−２８５４７５号公報（第１図）
【発明の開示】
【発明が解決しようとする課題】
【００１０】
解決しようとする問題点は、補強支持板１０がサスペンションホルダー９の略平面部９ａに当接して、ビス３６によってサスペンションホルダー９とともにアクチュエータベース１２の曲げ部１２ａに固定されるとき、ビス３６の頭部によってＡＣＴ８に貼り付けられた補強支持板は、そのＡＣＴ−ＦＰＣ８とともに部分的に押圧され、変形して反りが発生するなど、アクチュエータとしての基本的な特性が確保できない点である。
【課題を解決するための手段】
【００１１】
サスペンションホルダーの略中央部の、ビスによる固定用孔の周囲に、前記ビスの頭部外形と略同一の外形であって、補強支持板部とＡＣＴ−ＦＰＣの全厚みより僅かに高い環状の突起部を設け、一方前記ＡＣＴ−ＦＰＣに貼り付けられた支持補強板の略中央部に、前記サスペンションホルダーにほぼ位置決めされるように、環状突起部外形よりわずかに大きな貫通孔を設けて、前記ビス締めの際にビスの頭部に直接、補強支持板／ＡＣＴ−ＦＰＣが当接せず、前記環状突起部が変形して補強支持板／ＡＣＴ−ＦＰＣに初めて当接する構成したことを最も主要な特徴する。
また、ビス頭部の外径より、補強支持板／ＡＣＴ−ＦＰＣの位置決め孔を僅かに大きくすることにより、ビス頭部が補強支持板／ＡＣＴ−ＦＰＣに直接当接しないことを確実なものにすることができる。
【発明の効果】
【００１２】
本発明の光ピックアップは、補強支持板／ＡＣＴ−ＦＰＣをサスペンションホルダーとともにヨークベースにビス締め固定する際、ビスの頭部に直接、補強支持板／ＡＣＴ−ＦＰＣが当接せず、前記環状突起部が変形して補強支持板／ＡＣＴ−ＦＰＣに初めて当接する構成したことにより、補強支持板／ＡＣＴ−ＦＰＣを変形させないため、反りなどが発生せずアクチュエータの基本的な特性を確保できるという利点がある。
【発明を実施するための最良の形態】
【００１３】
本発明の光ピックアップは、対物レンズと、前記対物レンズをディスクに対し垂直方向と半径方向の２軸に駆動するために巻装されたコイルと、前記対物レンズおよび前記コイルを一体的に保持するレンズホルダーと、前記対物レンズをディスクに対し垂直方向と半径方向の２軸に移動可能なようにレンズホルダーを支持するように一端を前記レンズホルダーに固定された４本のサスペンションワイヤと、前記４本のサスペンションワイヤの他端が固定されるアクチュエータＦＰＣ（以下ＡＣＴ−ＦＰＣと略す）と、前記４本のサスペンションワイヤの他端が固定される近傍部のＡＣＴ−ＦＰＣに貼り付けられた補強支持板と、前記補強支持板を固定する樹脂材料からなるサスペンションホルダーと、前記コイルに対向して前記レンズホルダーを２軸に駆動するためのマグネットと、前記マグネットおよび前記サスペンションホルダーを固定保持し、前記レンズホルダーおよびサスペンションワイヤを保護するように構成されたアクチュエータベースと、前記サスペンションホルダーを前記ヨークベースに固定するビスと、半導体レーザーユニットと、前記半導体レーザーユニットを光出射側とは背面方向にて実装可能なフレキシブル基板と、前記半導体レーザーユニットが光出射側方向に光軸を中心軸として回転可能なように取り付けられ、かつ前記アクチュエータベースを調整固定して保持する光学台と、前記光学台に前記半導体レーザーユニットから出射された光を前記対物レンズに入射するよう構成された光学系を有し、前記サスペンションホルダーの略中央部の、前記ビスによる固定用孔の周囲に、前記ビスの頭部外形と略同一の外形であって、前記補強支持板と前記ＡＣＴ−ＦＰＣの全厚みより僅かに高い環状の突起部を設け、一方前記ＡＣＴ−ＦＰＣに貼り付けられた支持補強板の略中央部に、前記サスペンションホルダーにほぼ位置決めされるように、環状突起部外形よりわずかに大きな貫通孔を設けたことを特徴とする。
【００１４】
本発明の実施の形態のうち、図１，および図２に関する光ピックアップとしての構成については前記「背景技術」において述べたものと同じであるので、省略する。図３は、支持補強板１０／ＡＣＴ−ＦＰＣ８をサスペンションホルダー９とともにビス３６締めによってヨークベース１２の曲げ部１２ａに固定する部分の矢印Ａから見た断面図である。サスペンションホルダー９の略中央部には補強支持板１０とＡＣＴ−ＦＰＣ８の全厚みより僅かに高い環状突起部９ｂが設けられている。また補強支持板１０／ＡＣＴ−ＦＰＣ８にはその突起部外径より僅かに大きな孔が設けられている。ビス３６を締め付けることによって樹脂材料からなるサスペンションホルダー９の環状突起部９ｂが変形して支持補強板１０／ＡＣＴ−ＦＰＣ８を押圧固定する。そのときの変形した部分を図４に示す。
【００１５】
また、ビス３６の頭部の径Ｐより、支持補強板１０／ＡＣＴ−ＦＰＣ８の設けた孔径Ｑを大きくすることにより、ビス３６頭部が支持補強板１０／ＡＣＴ−ＦＰＣ８に直接当接し、変形させる可能性を確実に回避することができる。
【産業上の利用可能性】
【００１６】
本発明の光ピックアップは、４本のワイヤでレンズなどの可動部を支持する構成を有する形態のものに広く適用できる。
【図面の簡単な説明】
【００１７】
【図１】従来の光ピックアップのアクチュエータ部の構成を示す分解斜視図
【図２】従来の光ピックアップの構成を示す分解斜視図
【図３】本発明の光ピックアップの部分断面図
【図４】本発明の光ピックアップの部分断面図の拡大詳細図
【図５】従来の光ピックアップの部分断面図
【符号の説明】
【００１８】
３６    ビス
【図３】
2005302158.tif 000003
【図４】
2005302158.tif 000004
【図５】
2005302158.tif 000005
【図１】
2005302158.tif 000006
【図２】
2005302158.tif 000007